(57)【要約】【課題】  噴霧の微粒化効果を高める噴孔プレートを提供する。【解決手段】  各噴孔３０ａ，３０ｂ，３０ｃの孔軸３１ａ，３１ｂ，３１ｃを、板厚方向に延びる噴孔プレート１の中心軸４に対して入口側から出口側に向かうほど離間するように傾斜させ、各噴孔３０ａ，３０ｂ，３０ｃの横断面を、当該離間方向に長軸３２ａ，３２ｂ，３２ｃを有する扁平形状とする。そして噴孔３０ａ，３０ｂ，３０ｃについて、中心軸４に近い側の内壁部３４ａ，３４ｂ，３４ｃの傾斜角θａ，θｂ，θｃが小さい噴孔ほどその横断面の扁平率を大きくする。【選択図】    図１
2006283703.tif 000002
【特許請求の範囲】
【請求項１】
液体噴射弁に用いられ、液体を噴射する複数の噴孔を有する噴孔プレートであって、
各前記噴孔の孔軸は、板厚方向に延びる前記噴孔プレートの中心軸に対して入口側から出口側に向かうほど離間するように傾斜し、
前記中心軸に近い側の内壁部の傾斜角が小さい前記噴孔ほどその横断面の扁平率が大きいことを特徴とする噴孔プレート。
【請求項２】
前記中心軸に対して孔軸が入口側から出口側に向かうほど離間するように傾斜する各前記噴孔の横断面は、当該離間方向に長軸を有する扁平形状を呈していることを特徴とする請求項１に記載の噴孔プレート。
【請求項３】
前記傾斜角は、前記長軸を含む縦断面上の前記中心軸に近い側の前記内壁部と、前記中心軸に平行な平行軸とのなす角であることを特徴とする請求項２に記載の噴孔プレート。
【請求項４】
前記中心軸を含み互いに直交する二つの仮想平面により仕切られて前記噴孔プレートの周方向に並ぶ四つの領域が定義され、各前記領域内には、前記噴孔が複数ずつ設けられており、
同一の前記領域内に設けられている複数の前記噴孔について、前記傾斜角が小さい前記噴孔ほど横断面の扁平率が大きい関係が成立していることを特徴とする請求項１〜３のいずれか一項に記載の噴孔プレート。
【請求項５】
液体噴射弁に用いられ、液体を噴射する複数の噴孔を有する噴孔プレートであって、
前記複数の噴孔として、板厚方向に延びる前記噴孔プレートの中心軸を含む仮想平面を挟んで設けられている第一噴孔と第二噴孔とを有し、
前記第一噴孔の孔軸は、前記中心軸に対して入口側から出口側に向かうほど離間するように傾斜し、
前記第二噴孔の孔軸は、前記仮想平面に対して入口側から出口側に向かうほど接近するように傾斜し、
前記第二噴孔の横断面は前記第一噴孔の横断面より扁平率が大きいことを特徴とする噴孔プレート。
【請求項６】
前記中心軸に対して孔軸が入口側から出口側に向かうほど離間するように傾斜する前記第一噴孔の横断面は、当該離間方向に長軸を有する扁平形状を呈していることを特徴とする請求項５に記載の噴孔プレート。
【請求項７】
前記仮想平面に対して孔軸が入口側から出口側に向かうほど接近するように傾斜する前記第二噴孔の横断面は、当該接近方向に短軸を有する扁平形状を呈していることを特徴とする請求項５又は６に記載の噴孔プレート。
【請求項８】
前記第一噴孔と前記第二噴孔とは、前記仮想平面に関して互いに対称位置に設けられていることを特徴とする請求項５〜７のいずれか一項に記載の噴孔プレート。
【請求項９】
前記仮想平面を挟む両側に第一領域と第二領域とが定義され、前記第一領域内には、複数の前記第一噴孔が設けられ、前記第二領域内には、前記仮想平面に関する各前記第一噴孔の対称位置にそれぞれ前記第二噴孔が設けられており、
前記仮想平面に関して対称位置にある前記第一噴孔及び前記第二噴孔について、前記第二噴孔の横断面が前記第一噴孔の横断面より扁平率が大きい関係が成立していることを特徴とする請求項８に記載の噴孔プレート。
【請求項１０】
前記第一領域内の複数の前記第一噴孔について、前記中心軸に近い側の内壁部の傾斜角が小さい前記第一噴孔ほどその横断面の扁平率が大きい関係が成立していることを特徴とする請求項９に記載の噴孔プレート。
【請求項１１】
前記中心軸に対して孔軸が入口側から出口側に向かうほど離間するように傾斜する前記第一噴孔の横断面は、当該離間方向に長軸を有する扁平形状を呈し、
前記第一噴孔についての傾斜角は、前記長軸を含む縦断面上の前記中心軸に近い側の内壁部と、前記中心軸に平行な平行軸とのなす角であることを特徴とする請求項１０に記載の噴孔プレート。
【請求項１２】
前記第二領域内の複数の前記第二噴孔について、前記仮想平面から遠い側の内壁部の傾斜角が大きい前記第二噴孔ほどその横断面の扁平率が小さい関係が成立していることを特徴とする請求項９〜１１のいずれか一項に記載の噴孔プレート。
【請求項１３】
前記仮想平面に対して孔軸が入口側から出口側に向かうほど接近するように傾斜する前記第二噴孔の横断面は、当該接近方向に短軸を有する扁平形状を呈し、
前記第二噴孔についての傾斜角は、前記短軸を含む縦断面上の前記仮想平面から遠い側の内壁部と、前記中心軸に平行な平行軸とのなす角であることを特徴とする請求項１２に記載の噴孔プレート。
【請求項１４】
各前記噴孔は、入口側から出口側に向かうほど拡がっていることを特徴とする請求項１〜１３のいずれか一項に記載の噴孔プレート。
【請求項１５】
各前記噴孔の横断面形状は楕円形であることを特徴とする請求項１〜１４のいずれか一項に記載の噴孔プレート
【請求項１６】
各前記噴孔の横断面形状は小判形であることを特徴とする請求項１〜１４のいずれか一項に記載の噴孔プレート
【請求項１７】
各前記噴孔の横断面形状は長方形であることを特徴とする請求項１〜１４のいずれか一項に記載の噴孔プレート
【請求項１８】
弁部材と、
前記弁部材が離着座する弁座と、
前記弁座の燃料下流側に配置されて燃料を噴射する請求項１〜１７のいずれか一項に記載の噴孔プレートと、
を備えることを特徴とする燃料噴射弁。
【発明の詳細な説明】
【技術分野】
【０００１】
本発明は、液体を噴射する噴孔を有する噴孔プレート及びそれを備えた燃料噴射弁に関する。
【背景技術】
【０００２】
従来、燃料噴射弁等の液体噴射弁の噴孔プレートとして、板厚方向に延びる当該噴孔プレートの中心軸に対し入口側から出口側に向かうほど離間するように噴孔の孔軸を傾斜させたものが知られている。そして、このような噴孔プレートにおいて各噴孔から噴射される噴霧が互いに干渉し合うことを防止し、それによって噴霧の微粒化を促進する技術が例えば特許文献１に開示されている。
【０００３】
【特許文献１】特開平１１−７２０６７号公報
【発明の開示】
【発明が解決しようとする課題】
【０００４】
しかし、特許文献１に開示の技術では、各噴孔の内壁に沿う周方向流れの強さが各噴孔の傾斜角に応じて相違し、その結果、各噴孔の出口側における液膜成長に差異が生じてしまう。そのため、各噴孔から噴射される噴霧の粒径がばらついてしまい、噴霧の微粒化効果が十分に得られなくなるのである。
【０００５】
本発明は、こうした問題に鑑みてなされたものであって、その目的は、噴霧の微粒化効果を高める噴孔プレートを提供することにある。
また、本発明の他の目的は、燃料噴霧の微粒化効果を高める燃料噴射弁を提供することにある。
【課題を解決するための手段】
【０００６】
請求項１に記載の発明によると、各噴孔の孔軸は、板厚方向に延びる噴孔プレートの中心軸（以下、プレート中心軸という）に対して入口側から出口側に向かうほど離間するように傾斜している。そして、プレート中心軸に近い側の内壁部の傾斜角が小さい噴孔ほどその横断面の扁平率が大きいので、各噴孔内での周方向流れの強さ、さらには各噴孔出口側での液膜成長に差異が生じることを抑制できる。これにより、各噴孔から噴射される噴霧の粒径を均一化することが可能となるので、噴霧の微粒化効果を高めることができる。
【０００７】
請求項２，３に記載の発明によると、プレート中心軸に対して孔軸が入口側から出口側に向かうほど離間するように傾斜する各噴孔の横断面は、当該離間方向に長軸を有する扁平形状を呈している。これにより、各噴孔出口側での液膜成長に差異が生じることを確実に防止して、各噴孔からの噴霧粒径の均一化効果を高めることができる。
【０００８】
請求項４に記載の発明によると、プレート中心軸を含み互いに直交する二つの仮想平面により仕切られて噴孔プレートの周方向に並ぶ四つの領域には、それぞれ複数ずつ噴孔が設けられている。そして、同一領域内に設けられている複数の噴孔について、傾斜角が小さい噴孔ほど横断面の扁平率が大きい関係が成立しているので、同一領域内の各噴孔から噴射される噴霧が相互干渉することを十分に防止しつつ、それら各噴孔からの噴霧粒径を均一化することができる。したがって、噴霧の微粒化効果をさらに高めることができる。
【０００９】
請求項５に記載の発明によると、複数の噴孔のうち第一噴孔と第二噴孔とは、プレート中心軸を含む仮想平面を挟んで設けられている。そして第一噴孔は、プレート中心軸に対して孔軸が入口側から出口側に向かうほど離間するように傾斜している。また一方、第二噴孔は、上記仮想平面に対して孔軸が入口側から出口側に向かうほど接近するように傾斜し、横断面の扁平率が第一噴孔より大きくなっている。このような構成によれば、第一噴孔内及び第二噴孔内での周方向流れの強さ、さらには第一噴孔出口側及び第二噴孔出口側での液膜成長に差異が生じることを抑制できる。これにより、第一噴孔及び第二噴孔の各々から噴射される噴霧の粒径を均一化することが可能となるので、噴霧の微粒化効果を高めることができる。
【００１０】
請求項６に記載の発明によると、プレート中心軸に対して孔軸が入口側から出口側に向かうほど離間するように傾斜する第一噴孔の横断面は、当該離間方向に長軸を有する扁平形状を呈している。また、請求項７に記載の発明によると、仮想平面に対して孔軸が入口側から出口側に向かうほど接近するように傾斜する第二噴孔の横断面は、当該接近方向に短軸を有する扁平形状を呈している。さらにまた、請求項８に記載の発明によると、第一噴孔と第二噴孔とは、上記仮想平面に関して互いに対称位置に設けられている。これら請求項６〜８に記載の発明によれば、第一噴孔出口側及び第二噴孔出口側での液膜成長に差異が生じることを確実に防止して、それら各噴孔からの噴霧粒径の均一化効果を高めることができる。
【００１１】
請求項９に記載の発明によると、上記仮想平面を挟む両側の第一領域及び第二領域のうち、第一領域内には、複数の第一噴孔が設けられ、第二領域内には、当該仮想平面に関する各第一噴孔の対称位置にそれぞれ第二噴孔が設けられている。そして、互いに対称位置にある第一噴孔及び第二噴孔について、第二噴孔の横断面が第一噴孔の横断面より扁平率が大きい関係が成立しているので、噴霧の微粒化効果を高めつつ噴霧量を増大することができる。
【００１２】
請求項１０，１１に記載の発明によると、第一領域内の複数の第一噴孔について、プレート中心軸に近い側の内壁部の傾斜角が小さい第一噴孔ほどその横断面の扁平率が大きい関係が成立している。そのため、各第一噴孔内での周方向流れの強さ、さらには各第一噴孔出口側での液膜成長に差異が生じることを抑制できる。これにより、各第一噴孔から噴射される噴霧の粒径を均一化することが可能となるので、噴霧の微粒化効果をさらに高めることができる。
【００１３】
請求項１２，１３に記載の発明によると、第二領域内の複数の第二噴孔について、上記仮想平面とは遠い側の内壁部の傾斜角が大きい第二噴孔ほどその横断面の扁平率が小さい関係が成立している。そのため、各第二噴孔内での周方向流れの強さ、さらには各第二噴孔出口側での液膜成長に差異が生じることを抑制できる。これにより、各第二噴孔から噴射される噴霧の粒径を均一化することが可能となるので、噴霧の微粒化効果をさらに高めることができる。
【００１４】
請求項１４に記載の発明によると、各噴孔は、入口側から出口側に向かうほど拡がっているので、噴霧の微粒化効果をさらに高めることができる。
尚、各噴孔の横断面形状は、例えば請求項１５に記載の発明のように楕円形であってもよいし、請求項１６に記載の発明のように小判形であってもよいし、請求項１７に記載の発明のように長方形であってもよい。
【００１５】
請求項１８に記載の燃料噴射弁は、請求項１〜１７のいずれか一項に記載の噴孔プレートを備えているので、燃料噴霧の微粒化効果を高めることができる。
以上、本発明において噴孔の横断面とは、噴孔の孔軸に対して直交する断面であり、噴孔の縦断面とは、噴孔の孔軸を含む断面である。また、本発明において扁平率とは、一般によく知られているように、噴孔の横断面における長軸及び短軸の各長さをそれぞれＬ及びＳとしたときに（Ｌ−Ｓ）／Ｌにて表される値である。
【発明を実施するための最良の形態】
【００１６】
以下、本発明の複数の実施形態を図面に基づいて説明する。
（第一実施形態）
図２は、本発明の第一実施形態による噴孔プレート１を備えた燃料噴射弁１０を示している。燃料噴射弁１０は、例えば予混合式のガソリンエンジンに適用されるが、直噴式のガソリンエンジンやディーゼルエンジン等に適用することも可能である。
【００１７】
燃料噴射弁１０において、ハウジング１１は筒状に形成されており、第一磁性部１２、非磁性部１３及び第二磁性部１４を有している。非磁性部１３は、第一磁性部１２と第二磁性部１４との磁気的な短絡を防止する。
ハウジング１１の一端部には燃料導入口１６が形成されており、燃料ポンプから当該燃料導入口１６を通じてハウジング１１内に燃料が導入される。
【００１８】
ハウジング１１の他端部には、弁ボディ２０が装着されている。弁ボディ２０は筒状に形成されており、ハウジング１１内に導入された燃料が流入する燃料通路２６を内周面２０ａにより囲んでいる。この内周面２０ａには弁座２３が形成されており、弁部材２４が当該弁座２３に離着座することにより燃料通路２６が開閉される。弁ボディ２０においてハウジング１１とは反対側には、カップ状の噴孔プレート１が装着されている。この噴孔プレート１は、図２及び図３に示すように、円形平板状の本体部２と円筒状の周壁部３とを有している。本体部２には、それを弁ボディ２０側の端面から他端面に向かって貫通するように複数の噴孔３０ａ，３０ｂ，３０ｃ（図１参照）が形成されている。
弁部材２４は、ハウジング１１及び弁ボディ２０の内周側に同軸上に収容されて軸方向に往復移動可能となっている。弁部材２４は、弁ボディ２０の燃料通路２６に露出する弁座２３に着座可能なシート部２５を有している。
【００１９】
駆動部４０は、スプール４１、コイル４２、固定コア４３及び可動コア４４を有している。スプール４１は樹脂で筒状に形成され、ハウジング１１の外周側に装着されている。コイル４２はスプール４１の外周側に巻き回しされており、コネクタ４６のターミナル４７に接続されている。スプール４１及びコイル４２の外周側は、コネクタ４６と一体成形されてなる樹脂モールド４８によって覆われている。
【００２０】
固定コア４３は鉄等の磁性材料で筒状に形成され、コイル４２の内周側となるハウジング１１の内壁に装着されている。可動コア４４は例えば鉄等の磁性材料で筒状に形成されており、ハウジング１１の内周側に同軸上に収容されて軸方向に往復移動可能となっている。可動コア４４は固定コア４３よりも燃料下流側に配置され、当該固定コア４３と向き合っている。可動コア４４において固定コア４３とは反対側の端部は、弁部材２４に対し相対移動不能に接続されている。可動コア４４は、付勢部材であるスプリング１８の一端部を係止している。このスプリング１８の他端部は、固定コア４３に圧入されたアジャスティングパイプ１９に係止されている。これによりスプリング１８の復元力は、可動コア４４及び弁部材２４を固定コア４３とは反対側に付勢する力として作用している。尚、固定コア４３へのアジャスティングパイプ１９の圧入量を変えることにより、スプリング１８による付勢力の大きさが調整され得る。
【００２１】
コイル４２への通電が停止されているときには、固定コア４３と可動コア４４との間に磁気吸引力が発生しない。そのため、スプリング１８の付勢力を受ける可動コア４４及び弁部材２４が固定コア４３とは反対側へ移動し、当該弁部材２４のシート部２５が弁座２３に着座した状態となる。したがって、各噴孔３０ａ，３０ｂ，３０ｃからは燃料が噴射されない。一方、コイル４２が通電されると、固定コア４３と可動コア４４との間に磁気吸引力が発生する。そして、この磁気吸引力が増大すると、可動コア４４及び弁部材２４が固定コア４３側に移動し、当該弁部材２４のシート部２５が弁座２３から離座する。したがって、コイル４２への通電が停止されてシート部２５が再び弁座２３に着座するまで、各噴孔３０ａ，３０ｂ，３０ｃから燃料が噴射される。
【００２２】
次に、噴孔プレート１について詳細に説明する。
図２及び図３に示すように、噴孔プレート１において本体部２の板厚方向に延びる中心軸４は弁部材２４の弁軸と略一致しており、この中心軸４を含む二つの仮想平面５，６によって噴孔プレート１の本体部２が四つの領域α，β，γ，δに分けられている。ここで仮想平面５，６は、本体部２の両端面に対して垂直に且つ互いに垂直に交差するように定義されており、それにより各領域α，β，γ，δを中心軸方向に視た平面形状が互いに同じ内角４５°の扇形となっている。図４に示すように各領域α，β，γ，δには、三種類の噴孔３０ａ，３０ｂ，３０ｃが一つずつ設けられている。各領域α，β，γ，δの噴孔３０ａ，３０ｂ，３０ｃは、仮想平面５を挟んで隣り合う領域の同符号の噴孔とは仮想平面５に関して対称形である。また、各領域α，β，γ，δの噴孔３０ａ，３０ｂ，３０ｃと、仮想平面６を挟んで隣り合う領域の同符号の噴孔とは仮想平面６に関して対称形である。そこで以下では、領域αの噴孔３０ａ，３０ｂ，３０ｃについて代表的に説明し、他の領域β，γ，δの噴孔３０ａ，３０ｂ，３０ｃについては説明を省略する。
【００２３】
図１に示すように噴孔３０ａ，３０ｂ，３０ｃは、各々の孔軸３１ａ，３１ｂ，３１ｃが中心軸４に対して入口側から出口側に向かうほど離間する形態にて傾斜する所謂傾斜噴孔であり、また入口側から出口側に向かうほど拡がる所謂テーパ噴孔である。ここで噴孔３０ａ，３０ｂ，３０ｃの横断面（図１のＡ３，Ｂ３，Ｃ３に示す断面）は、孔軸３１ａ，３１ｂ，３１ｃの中心軸４からの離間方向に長軸３２ａ，３２ｂ，３２ｃを有する楕円形であり、その扁平率は個々の孔軸方向では一定であるが、互いには異なっている。
【００２４】
具体的に各噴孔３０ａ，３０ｂ，３０ｃについて、長軸３２ａ，３２ｂ，３２ｃを含む縦断面（図１のＡ２，Ｂ２，Ｃ２に示す断面）上で中心軸４に近い内側の内壁部（以下、内側内壁部という）３４ａ，３４ｂ，３４ｃと、中心軸４に平行な平行軸７ａ，７ｂ，７ｃとのなす傾斜角θａ，θｂ，θｃは、関係式θａ＞θｂ＞θｃを満たしている。そして各噴孔３０ａ，３０ｂ，３０ｃの横断面（図１のＡ３，Ｂ３，Ｃ３に示す断面）において長軸３２ａ，３２ｂ，３２ｃと短軸３３ａ，３３ｂ，３３ｃとの相関を表す扁平率ｒａ，ｒｂ，ｒｃは、関係式ｒａ≦ｒｂ≦ｒｃを満たしている。即ち領域αでは、内側内壁部の傾斜角が小さい噴孔ほど横断面の扁平率が大きくなっている。
【００２５】
尚、図１のＡ２，Ｂ２，Ｃ２に示すように本実施形態では、各噴孔３０ａ，３０ｂ，３０ｃのテーパ角ψａ，ψｂ，ψｃが関係式ψａ≦ψｂ≦ψｃを満たしている。即ち領域αでは、傾斜角が大きい噴孔ほどテーパ角が小さくなっている。また、図４に示すように本実施形態では、噴孔３０ａ，３０ｃの入口が中心軸４周りの仮想円８上に設けられている一方、噴孔３０ｂの入口が仮想円８より小さな仮想円９上に設けられている。さらにまた、図１のＡ１，Ｂ１，Ｃ１に示すように本実施形態では各噴孔３０ａ，３０ｂ，３０ｃについて、長軸３２ａ，３２ｂ，３２ｃと仮想平面５とのなす周方向の位置設定角ηａ，ηｂ，ηｃが関係式ηａ＜ηｂ＜ηｃを満たしている。即ち領域αでは、周方向の位置設定角が大きい噴孔ほど内側内壁部の傾斜角が小さく且つテーパ角及び扁平率が大きくなっている。
【００２６】
以上説明した領域αの噴孔３０ａ，３０ｂ，３０ｃと同様の構成を領域β，γ，δの３０ａ，３０ｂ，３０ｃが有していることにより、燃料噴射弁１０は図５に示す如き噴霧を形成する。このとき、内側内壁部の傾斜角が小さい噴孔ほど横断面の扁平率が大きい噴孔プレート１の作用により、各噴孔３０ａ，３０ｂ，３０ｃ内での周方向流れの強さ、さらにはそれら噴孔出口側での液膜成長に差異が生じ難くなる。その結果、各噴孔３０ａ，３０ｂ，３０ｃから噴射される噴霧の粒径を均一にすることができるので、高い微粒化効果を得ることができる。
【００２７】
（第二実施形態）
図６に示すように、本発明の第二実施形態は第一実施形態の変形例であり、第一実施形態と実質的に同一の構成部分には同一の符号を付すことで説明を省略する。
第二実施形態の噴孔プレート１００では、第一実施形態と実質的に同一構成の噴孔３０ａ，３０ｂ，３０ｃを第一噴孔として領域β，γの本体部１０２に設けているが、第一実施形態とは異なる構成の噴孔１１０ａ，１１０ｂ，１１０ｃを第二噴孔として領域α，δの本体部１０２に設けている。
【００２８】
具体的に領域α，δの第二噴孔１１０ａは、仮想平面５を挟んで隣り合う領域の第一噴孔３０ａとは仮想平面５に関して対称位置にある。同様に領域α，δの第二噴孔１１０ｂは、仮想平面５を挟んで隣り合う領域の第一噴孔３０ｂとは仮想平面５に関して対称位置にあり、領域α，δの第二噴孔１１０ｃは、仮想平面５を挟んで隣り合う領域の第一噴孔３０ｃとは仮想平面５に関して対称位置にある。そして領域αの第二噴孔１１０ａ，１１０ｂ，１１０ｃは、領域δの同符号の第二噴孔とは仮想平面６に関して対称形となっている。そこで以下では、領域αの第二噴孔１１０ａ，１１０ｂ，１１０ｃについて代表的に説明し、領域δの第二噴孔１１０ａ，１１０ｂ，１１０ｃについては説明を省略する。
【００２９】
図７に示すように第二噴孔１１０ａ，１１０ｂ，１１０ｃは、各々の孔軸１１１ａ，１１１ｂ，１１１ｃが仮想平面５に対して入口側から出口側に向かうほど接近する形態にて傾斜する所謂傾斜噴孔であり、また入口側から出口側に向かうほど拡がる所謂テーパ噴孔である。ここで第二噴孔１１０ａ，１１０ｂ，１１０ｃの横断面（図７のＡ３，Ｂ３，Ｃ３の断面）は、孔軸１１１ａ，１１１ｂ，１１１ｃの仮想平面５に対する接近方向に短軸１１３ａ，１１３ｂ，１１３ｃを有する楕円形であり、その扁平率は個々の孔軸方向では一定であるが、互いには異なっている。
【００３０】
具体的に各第二噴孔１１０ａ，１１０ｂ，１１０ｃについて、短軸１１３ａ，１１３ｂ，１１３ｃを含む縦断面（図７のＡ２，Ｂ２，Ｃ２の断面）上で仮想平面５から遠い外側の内壁部（以下、外側内壁部という）１１４ａ，１１４ｂ，１１４ｃと、中心軸４に平行な平行軸１２０ａ，１２０ｂ，１２０ｃとのなす傾斜角Θａ，Θｂ，Θｃは、関係式Θａ＞Θｂ＞Θｃを満たしている。そして各第二噴孔１１０ａ，１１０ｂ，１１０ｃの横断面（図７のＡ３，Ｂ３，Ｃ３の断面）において長軸１１２ａ，１１２ｂ，１１２ｃと短軸１１３ａ，１１３ｂ，１１３ｃとの相関を表す扁平率Ｒａ，Ｒｂ，Ｒｃが関係式Ｒａ≦Ｒｂ≦Ｒｃを満たしている。即ち領域αでは、外側内壁部の傾斜角が大きい第二噴孔ほど横断面の扁平率が小さくなっている。さらに、図８に示すように本実施形態では、各第二噴孔１１０ａ，１１０ｂ，１１０ｃの横断面における扁平率Ｒａ，Ｒｂ，Ｒｃが、仮想平面５に関して対称位置にある第一噴孔３０ａ，３０ｂ，３０ｃの扁平率ｒａ，ｒｂ，ｒｃより大きい関係を満たしているのである。
【００３１】
尚、図７のＡ２，Ｂ２，Ｃ２に示すように本実施形態では、各第二噴孔１１０ａ，１１０ｂ，１１０ｃのテーパ角Ψａ，Ψｂ，Ψｃが関係式Ψａ≦Ψｂ≦Ψｃを満たしている。即ち領域αでは、傾斜角が大きい第二噴孔ほどテーパ角が小さくなっている。また、図７のＡ１，Ｂ１，Ｃ１に示すように本実施形態では各第二噴孔１１０ａ，１１０ｂ，１１０ｃについて、短軸１１３ａ，１１３ｂ，１１３ｃと仮想平面５とのなす位置設定角Ηａ，Ηｂ，Ηｃが関係式Ηａ＜Ηｂ＜Ηｃを満たしている。即ち領域αでは、位置設定角が大きい第二噴孔ほど外側内壁部の傾斜角が小さく且つ扁平率及びテーパ角が大きくなっている。
【００３２】
以上説明した領域αの第二噴孔１１０ａ，１１０ｂ，１１０ｃと同様の構成を領域δの第二噴孔１１０ａ，１１０ｂ，１１０ｃが有していることにより、第二実施形態の燃料噴射弁は図９に示す如き噴霧を形成する。このとき、領域β，γでは内側内壁部の傾斜角が小さい第一噴孔ほど横断面の扁平率が大きい噴孔プレート１００の作用により、各第一噴孔３０ａ，３０ｂ，３０ｃ内での周方向流れの強さ、さらにはそれら第一噴孔出口側での液膜成長に差異が生じ難くなる。また、領域α，δでは外側内壁部の傾斜角が小さい第二噴孔ほど横断面の扁平率が大きい噴孔プレート１００の作用により、各第二噴孔１１０ａ，１１０ｂ，１１０ｃ内での周方向流れの強さ、さらにはそれら第二噴孔出口側での液膜成長に差異が生じ難くなる。さらにまた、仮想平面５に関して対称位置にある第一噴孔３０ａ，３０ｂ，３０ｃと第二噴孔１１０ａ，１１０ｂ，１１０ｃとについて横断面の扁平率が前者よりも後者で大きい噴孔プレート１００の作用により、それら各噴孔出口側での液膜成長に差異が生じ難くなる。このような第二実施形態によれば、各噴孔３０ａ，３０ｂ，３０ｃ，１１０ａ，１１０ｂ，１１０ｃから噴射される噴霧の粒径が均一化されるので、高い微粒化効果を得ることができる。
【００３３】
ここまで本発明の複数の実施形態について説明してきたが、本発明はそれらの実施形態に限定して解釈されるものではない。
例えば第一実施形態では、同一領域内で傾斜角が小さい噴孔ほど横断面の扁平率が大きい関係が成立する限りにおいて、噴孔の横断面を楕円以外の扁平形状、例えば図１０（同図は噴孔３０ａの例）のような小判形、又は図１１（同図は噴孔３０ａの例）のような長方形の他、真円形としてもよい。同様に第二実施形態では、対称位置にある第一噴孔と第二噴孔について前者の扁平率より後者の扁平率が大きい関係が成立する限りにおいて、噴孔の横断面を楕円以外の扁平形状、例えば小判形又は長方形の他、真円形としてもよい。
【００３４】
また、第一実施形態では、同一領域内で傾斜角が小さい噴孔ほど横断面の扁平率が大きい関係が成立する限りにおいて、各領域内の噴孔数を適宜変更してもよい。同様に第二実施形態では、対称位置にある第一噴孔と第二噴孔について前者の扁平率より後者の扁平率が大きい関係が成立する限りにおいて、各領域内の噴孔数を適宜変更してもよい
【００３５】
さらに第一実施形態では、同一領域内で傾斜角が小さい噴孔ほど横断面の扁平率が大きい関係が成立する限りにおいて、傾斜角が最小の噴孔以外の噴孔をテーパ角が０°の所謂ストレート噴孔としてもよい。またさらに第二実施形態では、対称位置にある第一噴孔と第二噴孔について前者の扁平率より後者の扁平率が大きい関係が成立する限りにおいて、第一噴孔をテーパ角が０°の所謂ストレート噴孔としてもよい。さらにまた第二実施形態では、噴孔プレートの中心軸を含む仮想平面を挟んで第一噴孔と第二噴孔とを設ける限りにおいて、それら第一噴孔及び第二噴孔の一方を他方よりも当該仮想平面に近接させて配置するようにしてもよい。
加えて第一及び第二実施形態では、本発明を燃料噴射弁の噴孔プレートに適用した例について説明したが、燃料以外の液体を噴射する液体噴射弁の噴孔プレートに本発明を適用することも勿論可能である。
【図面の簡単な説明】
【００３６】
【図１】第一実施形態による噴孔を示す平面図（Ａ１，Ｂ１，Ｃ１）、分図（Ａ１，Ｂ１，Ｃ１）のＡ２−Ａ２，Ｂ２−Ｂ２，Ｃ１−Ｃ２縦断面図（Ａ２，Ｂ２，Ｃ２）、分図（Ａ２，Ｂ２，Ｃ２）のＡ３−Ａ３，Ｂ３−Ｂ３，Ｃ３−Ｃ３横断面図（Ａ３，Ｂ３，Ｃ３）である。
【図２】第一実施形態による燃料噴射弁を示す断面図である。
【図３】第一実施形態による噴孔プレートを示す平面図である。
【図４】図３の要部を拡大して示す平面図である。
【図５】第一実施形態による燃料噴射弁が形成する噴霧を示す模式図であって、図３のＡ矢視図（Ａ）及び図３のＢ矢視図（Ｂ）である。
【図６】第二実施形態による噴孔プレートを拡大して示す平面図である。
【図７】第二実施形態による噴孔を示す平面図（Ａ１，Ｂ１，Ｃ１）、分図（Ａ１，Ｂ１，Ｃ１）のＡ２−Ａ２，Ｂ２−Ｂ２，Ｃ１−Ｃ２縦断面図（Ａ２，Ｂ２，Ｃ２）、分図（Ａ２，Ｂ２，Ｃ２）のＡ３−Ａ３，Ｂ３−Ｂ３，Ｃ３−Ｃ３横断面図（Ａ３，Ｂ３，Ｃ３）である。
【図８】第二実施形態による噴孔の横断面図である。
【図９】第二実施形態による燃料噴射弁が形成する噴霧を示す模式図である。
【図１０】変形例による噴孔を示す横断面図である。
【図１１】変形例による噴孔を示す横断面図である。
【符号の説明】
【００３７】
１  噴孔プレート、２  中心軸、５，６  仮想平面、７ａ，７ｂ，７ｃ  平行軸、８，９  仮想円、１０  燃料噴射弁、２０  弁ボディ、２３  弁座、２４  弁部材、３０ａ，３０ｂ，３０ｃ  噴孔、第一噴孔、３１ａ，３１ｂ，３１ｃ  孔軸、３２ａ，３２ｂ，３２ｃ  長軸、３３ａ，３３ｂ，３３ｃ  短軸、３４ａ，３４ｂ，３４ｃ  内壁部、１００  噴孔プレート、１１０ａ，１１０ｂ，１１０ｃ  第二噴孔、１１１ａ，１１１ｂ，１１１ｃ  孔軸、１１２ａ，１１２ｂ，１１２ｃ  長軸、１１３ａ，１１３ｂ，１１３ｃ  短軸、１２０ａ，１２０ｂ，１２０ｃ  平行軸
【図１】
2006283703.tif 000003
【図２】
2006283703.tif 000004
【図３】
2006283703.tif 000005
【図４】
2006283703.tif 000006
【図５】
2006283703.tif 000007
【図６】
2006283703.tif 000008
【図７】
2006283703.tif 000009
【図８】
2006283703.tif 000010
【図９】
2006283703.tif 000011
【図１０】
2006283703.tif 000012
【図１１】
2006283703.tif 000013